(57)【要約】【課題】水返し用の立上り部を設けた本体瓦を用いるにあたって、防水性に問題が生じるようなことなく隅棟部の施工を行なうことができる差棟材を提供する。【解決手段】屋根の隅棟部において、隅棟頂部を挟んだ両側に、切断した側端部同士を対向させて配設された一対の本体瓦１の、この対向する端部の上面間に跨って軒側前端部から棟側後端部に亘って配置される差棟材Ａに関する。差棟材Ａの本体部２の棟側後端部の両側には、上記の本体瓦１の棟側後端部の上面に突設された水返し用の立上り部３が収められる切欠部４が形成されている。本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができる。【選択図】図１
2011032854.tif 000002
【特許請求の範囲】
【請求項１】
屋根の隅棟部において、隅棟頂部を挟んだ両側に、切断した側端部同士を対向させて配設された一対の本体瓦の、この対向する端部の上面間に跨って軒側前端部から棟側後端部に亘って配置される差棟材であって、差棟材の本体部の棟側後端部の両側には、上記の本体瓦の棟側後端部の上面に突設された水返し用の立上り部が収められる切欠部が形成されていることを特徴とする差棟材。
【請求項２】
本体部に設けた上記の切欠部が、本体瓦の立上り部に係合して固定されるように、本体部の外側方へ開口して形成されていることを特徴とする請求項１に記載の差棟材。
【請求項３】
本体部に設けた上記の切欠部より棟側後端部の位置に、固着具を打入して固定するための固定片が設けられていることを特徴とする請求項１に記載の差棟材。
【請求項４】
本体部の軒側先端に引掛け片が設けられていると共に、他の差棟材の引掛け片を係止することのできる係止片が本体部上に軒棟方向にスライド自在に設けられていることを特徴とする請求項１乃至３のいずれかに記載の差棟材。
【請求項５】
屋根の隅棟頂部を挟んでその両側にそれぞれ、切断した側端部同士を対向させて本体瓦を配設すると共に、各本体瓦の棟側後端部に他の本体瓦の軒側前端部を重ねて配設し、各対向する一対の本体瓦の、この対向する端部の上面間に跨って軒側前端部から棟側後端部に亘って上記請求項２に記載の差棟材を配置し、本体瓦の棟側後端部の上面に突設された水返し用の立上り部を差棟材の本体部に設けた切欠部に収めると共にこの切欠部を立上り部に係合させて差棟材を本体瓦に固定して成ることを特徴とする隅棟部の構造。
【請求項６】
屋根の隅棟頂部を挟んでその両側にそれぞれ、切断した側端部同士を対向させて本体瓦を配設すると共に、各本体瓦の棟側後端部に他の本体瓦の軒側前端部を重ねて配設し、各対向する一対の本体瓦の、この対向する端部の上面間に跨って軒側前端部から棟側後端部に亘って上記請求項３に記載の差棟材を配置し、本体瓦の棟側後端部の上面に突設された水返し用の立上り部を差棟材の本体部に設けた切欠部に収めると共に切欠部より棟側後端部の位置に設けた固定片に固着具を打入することによって差棟材を本体瓦に固定して成ることを特徴とする隅棟部の構造。
【請求項７】
屋根の隅棟頂部を挟んでその両側にそれぞれ、切断した側端部同士を対向させて本体瓦を配設すると共に、各本体瓦の棟側後端部に他の本体瓦の軒側前端部を重ねて配設し、各対向する一対の本体瓦の、この対向する端部の上面間に跨って軒側前端部から棟側後端部に亘って上記請求項４に記載の差棟材を配置し、本体瓦の棟側後端部の上面に突設された水返し用の立上り部を差棟材の本体部に設けた切欠部に収め、各差棟材の係止片をこの差棟材の棟側に配設された各本体瓦の軒側前端縁に合致させ、この各差棟材の係止片にこの差棟材の棟側に配置される他の差棟材の引掛け片を係止させることによって差棟材を固定することを特徴とする隅棟部の構造。
【請求項８】
本体瓦と差棟材の間に防水部材を介在させて成ることを特徴とする請求項５乃至７のいずれかに記載の隅棟部の構造。
【発明の詳細な説明】
【技術分野】
【０００１】
本発明は、屋根の隅棟において用いられる差棟材に関するものであり、またこの差棟材を用いて形成される隅棟部の構造に関するものである。
【背景技術】
【０００２】
寄棟屋根や入母屋屋根において、出隅の稜線に沿って傾斜する隅棟（降り棟ともいう）には、隅棟頂部を挟んでその両側にそれぞれ本体瓦１が葺設されるが、本体瓦１の隅棟側の側端部は、隅棟に沿って斜めに切断されている。そして隅棟頂部を挟んで両側に葺設される本体瓦１はこの切断した端部同士が対向しているものであり、この対向端部間の隙間を覆って防水性を確保するために、例えば特許文献１では、図９（ａ）に示すような差棟材Ａを用い、この差棟材Ａを図９（ｂ）のように、本体瓦１の対向する端部の上面間に跨って軒側前端部から棟側後端部に亘って取り付けるようにしてある。
【０００３】
すなわち、差棟材Ａは鋼板等の金属板を折曲加工して形成されるものであり、断面逆Ｖ字形に折曲した本体部２の軒側先端部に引掛け片１０が下側へ折り返し屈曲してある。そして隅棟頂部を挟んで配置される一対の本体瓦１の軒側前端部に引掛け片１０を引掛けると共に、この一対の本体瓦１の対向する端部の上面間に跨って軒側前端部から棟側後端部に亘って差棟材Ａを重ねて配置し、釘等の固着具６を打入して差棟材Ａの固定を行なうようにしてある。
【先行技術文献】
【特許文献】
【０００４】
【特許文献１】特開平１０−３３８９９７号公報
【発明の概要】
【発明が解決しようとする課題】
【０００５】
上記の図９のように、金属板を折曲して形成される差棟材Ａを用いることによって、隅棟頂部を挟んで葺設される本体瓦１の対向端部間の隙間を覆って屋根の隅棟部を造作する施工を行なうことができる。
【０００６】
ここで、本体瓦１として表面が比較的フラットな態様のものを用いて屋根を施工する場合には、上記のような差棟材Ａを用いて隅棟部の施工を支障なく行なうことができる。しかし図８（ａ）に示すように、棟側後端部に水返し用の立上り部３を設けた本体瓦１を用いて屋根を施工する場合、上記のような差棟材Ａでは隅棟部の施工を行なうことが難しい。
【０００７】
すなわち、図８（ａ）の本体瓦１を用いて屋根を施工する場合、隅棟の部分では図８（ｂ）のように、本体瓦１の一方の側端部を隅棟に沿って斜めに切断して用いることになる。そして、上記の図８（ｂ）のようにこの本体瓦１の切断した側端部の上に差棟材Ａを軒側前端部から棟側後端部に亘って重ねると、差棟材Ａの棟側後端部が立上り部３の上に乗り上げることになり、差棟材Ａが本体瓦１の上から浮き上がって密着させることが難しくなる。またこの差棟材Ａの上に載置されることになる上段の本体瓦１も下段の本体瓦１から浮き上がって密着させることが難しくなる。
【０００８】
このように、棟側後端部に水返し用の立上り部３を設けた本体瓦１を用いて屋根を施工する場合、差棟材Ａを本体瓦１の上に密着させることが難しくなり、また上段の本体瓦１を下段の本体瓦１に密着させることが難しくなり、隅棟部での防水性に問題が生じることになるものであった。
【０００９】
本発明は上記の点に鑑みてなされたものであり、水返し用の立上り部を設けた本体瓦を用いるにあたって、防水性に問題が生じるようなことなく隅棟部の施工を行なうことができる差棟材及び隅棟部の構造を提供することを目的とするものである。
【課題を解決するための手段】
【００１０】
本発明に係る差棟材は、屋根の隅棟部において、隅棟頂部を挟んだ両側に、切断した側端部同士を対向させて配設された一対の本体瓦１の、この対向する端部の上面間に跨って軒側前端部から棟側後端部に亘って配置される差棟材Ａであって、差棟材Ａの本体部２の棟側後端部の両側には、上記の本体瓦１の棟側後端部の上面に突設された水返し用の立上り部３が収められる切欠部４が形成されていることを特徴とするものである。
【００１１】
このように、差棟材Ａの本体部２に切欠部４を形成することによって、本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができると共に、またこの本体瓦１の上に上段の本体瓦１を浮き上がることなく重ねることができるものであり、防水性に問題が生じるようなことなく隅棟部の施工を行なうことができるものである。
【００１２】
また請求項２に係る発明は、上記構成に加えて、本体部２に設けた上記の切欠部４が、本体瓦１の立上り部３に係合して固定されるように、本体部２の外側方へ開口して形成されていることを特徴とするものである。
【００１３】
この発明によれば、本体瓦１の立上り部３を収めるための切欠部４を利用して、差棟材Ａを固定することができるものであり、固着具等を用いて固定を行なう必要がなくなるものである。
【００１４】
また請求項３に係る発明は、上記構成に加えて、本体部２に設けた上記の切欠部４より棟側後端部の位置に、固着具６を打入して固定するための固定片５が設けられていることを特徴とするものである。
【００１５】
この発明によれば、固定片５に固着具６を打ち付けることによって、差棟材Ａを強固に固定することができるものである。
【００１６】
また請求項４に係る発明は、上記構成に加えて、本体部２の軒側先端に引掛け片１０が設けられていると共に、他の差棟材Ａの引掛け片１０を係止することのできる係止片２５が本体部２上に軒棟方向にスライド自在に設けられていることを特徴とするものである。
【００１７】
この発明によれば、本体瓦１の隅棟側の側端部を隅棟に沿って斜めに切断する際に、本体瓦１を短く切りすぎてしまい、差棟材Ａの引掛け片１０を本体瓦１の軒側先端部に係止することができない場合でも、各差棟材Ａの係止片２５にこの差棟材Ａの棟側に配置される上段の差棟材Ａの引掛け片１０を係止させることができ、これにより差棟材Ａを固定することができるものである。
【００１８】
本発明に係る隅棟部の構造は、屋根の隅棟頂部を挟んでその両側にそれぞれ、切断した側端部同士を対向させて本体瓦１を配設すると共に、各本体瓦１の棟側後端部に他の本体瓦１の軒側前端部を重ねて配設し、各対向する一対の本体瓦１の、この対向する端部の上面間に跨って軒側前端部から棟側後端部に亘って上記請求項２に記載の差棟材Ａを配置し、本体瓦１の棟側後端部の上面に突設された水返し用の立上り部３を差棟材Ａの本体部２に設けた切欠部４に収めると共にこの切欠部４を立上り部３に係合させて差棟材Ａを本体瓦１に固定して成ることを特徴とするものである。
【００１９】
この発明によれば、本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができると共に、またこの本体瓦１の上に上段の本体瓦１を浮き上がることなく重ねることができるものであり、防水性に問題が生じるようなことなく隅棟部の施工を行なうことができるものである。しかも本体瓦１の立上り部３を収めるための切欠部４を利用して、差棟材Ａを固定することができるものであり、固着具等を用いて固定を行なう必要がなくなるものである。
【００２０】
また本発明に係る隅棟部の構造は、屋根の隅棟頂部を挟んでその両側にそれぞれ、切断した側端部同士を対向させて本体瓦１を配設すると共に、各本体瓦１の棟側後端部に他の本体瓦１の軒側前端部を重ねて配設し、各対向する一対の本体瓦１の、この対向する端部の上面間に跨って軒側前端部から棟側後端部に亘って上記請求項３に記載の差棟材Ａを配置し、本体瓦１の棟側後端部の上面に突設された水返し用の立上り部３を差棟材Ａの本体部２に設けた切欠部４に収めると共に切欠部４より棟側後端部の位置に設けた固定片５に固着具６を打入することによって差棟材Ａを本体瓦１に固定して成ることを特徴とするものである。
【００２１】
この発明によれば、本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができると共に、またこの本体瓦１の上に上段の本体瓦１を浮き上がることなく重ねることができるものであり、防水性に問題が生じるようなことなく隅棟部の施工を行なうことができるものである。しかも固定片５に固着具６を打ち付けることによって、差棟材Ａを強固に固定することができるものである。
【００２２】
また本発明に係る隅棟部の構造は、屋根の隅棟頂部を挟んでその両側にそれぞれ、切断した側端部同士を対向させて本体瓦１を配設すると共に、各本体瓦１の棟側後端部に他の本体瓦１の軒側前端部を重ねて配設し、各対向する一対の本体瓦１の、この対向する端部の上面間に跨って軒側前端部から棟側後端部に亘って上記請求項４に記載の差棟材Ａを配置し、本体瓦１の棟側後端部の上面に突設された水返し用の立上り部３を差棟材Ａの本体部２に設けた切欠部４に収め、各差棟材Ａの係止片２５をこの差棟材Ａの棟側に配設された各本体瓦１の軒側前端縁に合致させ、この各差棟材Ａの係止片２５にこの差棟材Ａの棟側に配置される他の差棟材Ａの引掛け片１０を係止させることによって差棟材Ａを固定することを特徴とするものである。
【００２３】
この発明によれば、本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができると共に、またこの本体瓦１の上に上段の本体瓦１を浮き上がることなく重ねることができるものであり、防水性に問題が生じるようなことなく隅棟部の施工を行なうことができるものである。しかも本体瓦１の隅棟側の側端部を隅棟に沿って斜めに切断する際に、本体瓦１を短く切りすぎてしまい、差棟材Ａの引掛け片１０を本体瓦１の軒側先端部に係止することができない場合でも、各差棟材Ａの係止片２５にこの差棟材Ａの棟側に配置される上段の差棟材Ａの引掛け片１０を係止させることができ、これにより差棟材Ａを固定することができるものである。
【００２４】
また本発明は、上記構成に加えて、本体瓦１と差棟材Ａの間に防水部材７を介在させて成ることを特徴とするものである。
【００２５】
この発明によれば、差棟材Ａの下面を防水部材７を介して本体瓦１に密着させることができ、防水性を高めることができるものである。
【発明の効果】
【００２６】
本発明によれば、差棟材Ａの本体部２に切欠部４を形成することによって、本体瓦１の水返し用の立上り部３を切欠部４に収めた状態で差棟材Ａを本体瓦１の側端部の上に配置することができ、立上り部３に乗り上げて浮き上がることなく、差棟材Ａを本体瓦１の上に重ねることができると共に、またこの本体瓦１の上に上段の本体瓦１を浮き上がることなく重ねることができるものであり、防水性に問題が生じるようなことなく隅棟部の施工を行なうことができるものである。
【図面の簡単な説明】
【００２７】
【図１】本発明の第一の実施形態を示すものであり、（ａ）は分解斜視図、（ｂ）は一部の斜視図である。
【図２】（ａ）は屋根葺き施工前の屋根下地の斜視図、（ｂ）は図１（ｂ）のイ−イ線断面図である。
【図３】本発明の第一の実施形態における差棟材を示すものであり、（ａ）は斜視図、（ｂ）は正面図である。
【図４】同上の差棟材を示すものであり、（ａ）は平面図、（ｂ）は（ａ）のロ−ロ線切断端面図、（ｃ）は（ａ）のハ−ハ線切断端面図である。
【図５】本発明の第二の実施形態における差棟材を示すものであり、（ａ）は平面図、（ｂ）は斜視図を示すものである。
【図６】同上の差棟材の係止片を形成するための金属板の一例を示す平面図である。
【図７】本発明の第二の実施形態を示す、一部の正面図である。
【図８】本体瓦を示すものであり、（ａ）は斜視図、（ｂ）は隅棟部に施工される本体瓦の斜視図である。
【図９】従来例を示すものであり、（ａ）は斜視図、（ｂ）は差棟材の斜視図である。
【発明を実施するための形態】
【００２８】
以下、本発明の実施の形態を説明する。
【００２９】
（第一の実施形態）
図３及び図４は本発明に係る差棟材Ａの一例を示すものであり、鋼板等の金属板を折曲加工して薄板状に形成されるものである。差棟材Ａは軒棟方向に細長く、軒側先端部が平面Ｖ字状に尖る形態の本体部２と、本体部２の軒側先端に下側へ折り返して延設される引掛け片１０とを備えて形成されるものであり、本体部２は図４（ｃ）のように、軒棟方向と垂直な断面形状を略逆Ｖ字形に形成してある。
【００３０】
また引掛け片１０は本体部２から垂下される前片１２と、前片１２の下端から後方へ本体部２とほぼ平行に延出される下片１３とから形成されるものであり、前片１２の断面形状は図４（ｂ）のように、本体瓦１の軒側先端面と相似形に屈曲して形成してある。ここで、引掛け片１０の前片１２は平面形状がＶ字状に形成されるので、図３（ｂ）のように、重ね代１５ａ，１５ｂを残して逆Ｖ字形にカットし、カット部を付き合わせて作製するようにしてある。尚、重ね代１５ａ，１５ｂを溶接等で接合することにより、差棟材Ａの軒側先端部の開きを防ぐこともできるものである。また、前片１２の接合部分はシーリング等でふさがれていることが好ましい。
【００３１】
また差棟材Ａの本体部２の棟側後端部の両側部にはそれぞれ切欠部４が設けてある。切欠部４は本体部２の一部を切除する加工で形成されるものであり、図３（ａ）及び図４（ａ）に示すように、本体部２の両側の各側端縁において外側方へのみ開口するスリット状に形成してある。このスリット状の切欠部４は、隅棟の傾きの角度に適応して、棟側後方へ向けて斜め外方に傾斜するように形成されるものである。
【００３２】
一方、本体瓦１としては、比較的厚い厚みで形成される既述の図８（ａ）のように形成されるものを用いるものである。図８（ａ）に示す本体瓦１にあって、その一方の側端部には上面に水返し用凸部１７を突設した接続片１８が延設してあり、本体瓦１の後端部の上面には幅方向の全長に亘って水返し用の立上り部３が突設してある。
【００３３】
そしてこの本体瓦１を用いて屋根を施工するにあたっては、図２（ａ）のように、軒先端部に軒先水切り２１を設けた野地板２２の上にルーフィング２３を敷くと共に、野地板２２の軒先端部の上に広小舞２４を取り付けておき、まず、広小舞２４の上に本体瓦１の軒側前端部を載置した状態で、本体瓦１を野地板２２の上に取り付けることによって、１段目での本体瓦１を葺く施工を行なう。この段において左右に隣り合う本体瓦１の接続は、一方の本体瓦１の接続片１８の上に他方の本体瓦１の側端部を重ねて係合することによって行なうことができる。次に、１段目の本体瓦１の棟側後端部に、２段目の本体瓦１の軒側前端部を重ねて施工することによって、２段目での本体瓦１を葺く施工を行なうことができる。このとき、１段目の本体瓦１の棟側後端部の立上り部３は、２段目の本体瓦１によって覆われるようになっている。この操作を順に繰り返すことによって、軒側から棟側へと複数段に本体瓦１を葺くことができるものである。
【００３４】
このように本体瓦１を葺くにあたって、各段の本体瓦１のうち最も隅棟側の端部に位置する本体瓦１は、隅棟側の側端部を隅棟の傾きに合わせて既述の図８（ｂ）のように斜めに切断し、この切断した側端部同士を所定間隔を隔てて対向させた状態で、隅棟頂部を挟んだ両側にこの本体瓦１を配置するようにしてある。
【００３５】
上記のようにして各段の本体瓦１を葺く施工を行なった後、隅棟頂部を挟んで配置される本体瓦１の対向する側端部間に差棟材Ａを取り付けることによって、図１（ａ）のように屋根の隅棟部を造作することができるものである。
【００３６】
差棟材Ａの取り付けは、隅棟頂部を挟んで配置される本体瓦１の側端部間に跨らせて差棟材Ａを配置し、図２（ｂ）に示すように本体瓦１の軒側先端部に差棟材Ａの引掛け片１０を被挿係合して、差棟材Ａの軒側先端部を本体瓦１に固定した状態で、各本体瓦１の対向する側端部を軒側前端部から棟側後端部に亘って差棟材Ａで覆うことによって行なわれるものである。ここで、上記のように上下複数の各段に本体瓦１を葺く施工を終えた後に差棟材Ａを取り付ける場合、上段側の本体瓦１の下側に差棟材Ａの棟側後端部を差し込んで、差棟材Ａの取り付けを行なうことになる。
【００３７】
そしてこのように隅棟頂部を挟んだ両側の本体瓦１の対向する端部の上面間に跨って差棟材Ａを配置すると、図１（ｂ）に示すように、両側の各本体瓦１の水返し用の立上り部３は、差棟材Ａの棟側後端部の両側に設けた切欠部４内に納められるものである。従って、差棟材Ａの後端部が本体瓦１の立上り部３に乗り上げるようなことがなくなり、差棟材Ａが本体瓦１の上から浮き上がるようなことがなくなるものである。またこの差棟材Ａの上に載置されることになる上段の本体瓦１も、下段の本体瓦１から浮き上がるようなことがなくなるものである。従って、このような浮き上がりが発生することによって防水性が低下することを防ぐことができ、防水性の高い隅棟部の施工を行なうことができるものである。
【００３８】
ここで、差棟材Ａの棟側後端部の両側に切欠部４を設けるにあたって、切欠部４の開口幅、すなわちスリット状に形成される切欠部４のスリット幅の寸法を、本体瓦１の立上り部３の厚み、すなわち軒棟方向の幅寸法にほぼ等しく形成するようにしてある。差棟材Ａの切欠部４をこのように形成すると、上記のように本体瓦１の立上り部３を切欠部４内に納める際に、立上り部３は切欠部４内に無理嵌めされるようにして係合することになり、差棟材Ａの棟側後端部をこの立上り部３に対する切欠部４の係合によって固定することができる。従って、本体瓦１の立上り部３を納めるために設けた切欠部４を利用して、釘打ち等を行なう必要なく、差棟材Ａの固定を行なうことが可能になるものである。
【００３９】
また差棟材Ａの棟側後端部の両側に切欠部４を設けるにあたって、切欠部４よりも棟側後端の部分に固定片５を設けることができる。上記の図３，４の実施の形態のように切欠部４を外側方へ開口するスリット状に形成する場合、切欠部４よりも棟側後端の部分全体が固定片５となる。このように差棟材Ａの棟側後端部に固定片５を設けることによって、固定片５を通して釘等の固着具６を本体瓦１に打入して、固着具６により差棟材Ａを強固に固定することが可能になるものである。上記のように上下複数の各段に本体瓦１を葺く施工を終えた後に、上段側の本体瓦１の下側に差棟材Ａの棟側後端部を差し込んで、差棟材Ａの取り付けを行なう場合には、上段の本体瓦１の上から固定片５に固着具６を打入すればよい。そしてこのように固定片５に固着具６を打入して差棟材Ａの固定を行なう場合には、切欠部４の開口幅を本体瓦１の立上り部３の厚みより大きく形成して、無理嵌めする必要なく、立上り部３を切欠部４内に容易に納めるようにすることができるものである。
【００４０】
また、隅棟頂部を挟んで両側に配置される本体瓦１の対向する側端部の上面には、その端縁に沿って軒棟方向の全長に防水部材７が取り付けてある。防水部材７としては、例えば発泡ゴムなどの弾性材を長尺テープ状に形成したものを用いることができるものであり、粘着剤などで貼り付けることによって、施工現場において防水部材７を本体瓦１に取り付けるようにしてある。そしてこのように本体瓦１の側端部の上面に防水部材７を取り付けておくことによって、上記のように本体瓦１の対向する側端部の上面間に跨って差棟材Ａを配置すると、図２（ｂ）のように本体瓦１の上面と差棟材Ａの下面の間に防水部材７が圧縮された状態で挟まれ、防水部材７を介して本体瓦１に差棟材Ａを密着させることができるものであり、より防水性の高い隅棟部の施工を行なうことができるものである。このとき、上段側に位置する差棟材Ａの軒側先端部の引掛け片１０の下面と、下段側に位置する差棟材Ａの上面の間に、同様に防水部材７を設けることによって、差棟材Ａ間の防水性も高めることができるものである。
【００４１】
尚、上記の実施の形態では、上下複数の各段に本体瓦１を葺く施工を終えた後に、下の段から順に差棟材Ａの取り付けを行なうようにしたが、１段目の本体瓦１を葺いた後に、この１段目において隅棟を挟んだ本体瓦１間に差棟材Ａを取り付け、次に１段目の上に２段目の本体瓦１を葺いた後に、この２段目において隅棟を挟んだ本体瓦１間に差棟材Ａを取り付けるというように、各段で本体瓦１を葺く施工を行なう毎に、差棟材Ａを取り付けるようにしてもよい。
【００４２】
（第二の実施形態）
また、図５は本発明に係る差棟材Ａの他の一例を示すものであり、上記の図３、４に示される差棟材Ａの本体部２上に係止片２５が設けられたものである。
【００４３】
前記係止片２５は，平面形状において差棟材Ａの引掛け片１０の軒側先端の角度および軒棟頂部を挟んで対向する一対の本体瓦１の軒側前端縁が成す角度と同じ角度を有するＶ字状に形成されると共に、軒棟方向と垂直な断面形状において本体部２と合致する略逆Ｖ字形に形成されるスライド板２６ａ、２６ｂと、後述するようにスライド板２６ａ、２６ｂをＶ字状の先端を軒側方向に向けて突出するように本体部２上に載置した時に、スライド板２６ａ、２６ｂの軒側前端縁から垂直上向きに突出する立上り片２７ａ、２７ｂとから構成されるものである。ここで、立上り片２７ａ、２７ｂはお互いの隅棟側の端縁が突き合わされており、この部分を溶接等で接合するようにして形成されている。このような係止片２５は図６に示されるような形状の鋼板等の金属板を折曲加工することによって形成することができる。このように、スライド板２６ａ、２６ｂの軒側前端縁に立上り片２７ａ、２７ｂが形成され、この立上り片２７ａ、２７ｂの少なくとも一方を上段に位置する本体瓦１の軒側前面に当接させることにより、係止片２５の差し込み過ぎを防止するとともに、差棟材Ａの係止片２５に他の差棟材Ａの引掛け片１０を係止させる際に、スライド板２６ａ、２６ｂの軒側前端縁が曲がってしまうことを防ぐことができ、係止片２５の強度を上げることができるものである。尚、図７の符号３０に示すように、立上り片２７ａ、２７ｂの接合部分はシーリング等でふさがれていることが好ましい。
【００４４】
上記のような、係止片２５を本体部２上に設けるにあたっては、スライド板２６ａ、２６ｂのＶ字の先端を軒側方向に向けて突出させると共に各スライド板２６ａ、２６ｂを本体部２の上面の傾斜に沿わせて、スライド板２６ａ、２６ｂを本体部２の上に載置し、スライド板２６ａ、２６ｂのうち本体部２の側端縁からはみ出した部分を本体部２の裏側へ折り曲げることによってこの折り曲げ部分でスライド保持片２８ａ、２８ｂを形成する。これにより、本体部２の両側側端部がスライド板２６ａ、２６ｂとスライド保持片２８ａ、２８ｂとの間に遊嵌され、係止片２５が本体部２にスライド自在に保持される。ここで、スライド保持片２８ａ、２８ｂはスライド板２６ａ、２６ｂが本体部２上に固定されてしまわない程度のゆとりをもって折り曲げ形成されているので、本体部２上に軒棟方向にスライド自在となるように係止片２５を設けることができるものである。
【００４５】
一方、本体瓦１としては、第一の実施形態と同様の構成のものを用いることができる。この本体瓦１を用い、第一の実施形態と同様に屋根を施工する。
【００４６】
本体瓦１を葺く施工を行なったあと、隅棟頂部を挟んで配置される本体瓦１の対向する側端部間に差棟材Ａを取り付けることによって、図７に示すように屋根の隅棟部を造作することができるものである。
【００４７】
差棟材Ａの取り付けは、隅棟頂部を挟んで配置される本体瓦１の側端部間に跨らせて差棟材Ａを配置し、図２（ｂ）に示す場合と同様に本体瓦１の軒側先端部に差棟材Ａの引掛け片１０を被挿係合して、差棟材Ａの軒側先端部を本体瓦１に固定した状態で、各本体瓦１の対向する側端部を軒側前端部から棟側後端部に亘って差棟材Ａで覆うことによって行なわれるものである。ここで、上記のように上下複数の各段に本体瓦１を葺く施工を終えた後に差棟材Ａを取り付ける場合、上段側の本体瓦１の下側に差棟材Ａの棟側後端部を差し込んで、差棟材Ａの取り付けを行なうことになる。
【００４８】
このとき、図７に示すように差棟材Ａの係止片２５の立上り片２７ａ、２７ｂを、この差棟材Ａの棟側に配置される上段の本体瓦１の前端に当接させることで係止片２５を上段の本体瓦１の軒側前端縁に合致させ、係止片２５のスライド板２６ａ、２６ｂは、上段の本体瓦１の裏側に潜り込むように配置される。そして、この差棟材Ａの係止片２５と上段の本体瓦１の軒側先端部に、この差棟材Ａの棟側に配置される上段の差棟材Ａの引掛け片１０を引掛け係止させることによって差棟材Ａを固定する。
【００４９】
そしてこのように隅棟頂部を挟んだ両側の本体瓦１の対向する端部の上面間に跨って差棟材Ａを配置すると、第一の実施形態の場合と同様に、両側の各本体瓦１の水返し用の立上り部３は、差棟材Ａの棟側後端部の両側に設けた切欠部４内に納められるものである。従って、差棟材Ａの後端部が本体瓦１の立上り部３に乗り上げるようなことがなくなり、差棟材Ａが本体瓦１の上から浮き上がるようなことがなくなるものである。またこの差棟材Ａの上に載置されることになる上段の本体瓦１も、下段の本体瓦１から浮き上がるようなことがなくなるものである。従って、このような浮き上がりが発生することによって防水性が低下することを防ぐことができ、防水性の高い隅棟部の施工を行なうことができるものである。
【００５０】
さらに、本体瓦１の隅棟側の側端部を隅棟に沿って斜めに切断する際に、本体瓦１を短く切りすぎてしまい、対向する本体瓦１間の幅が大きくなって本体瓦１と差棟材Ａとの重なり幅が小さくなり、差棟材Ａの引掛け片１０を本体瓦１の軒側先端部に係止することができなかったり、係止できたとしてもその固定強度が弱かったりする場合でも、各差棟材Ａの係止片２５にこの差棟材Ａの棟側に配置される上段の差棟材Ａの引掛け片１０を係止させることにより、差棟材Ａを強固に固定することができるものである。
【００５１】
このとき、本体瓦１の立上り部３を納めるために設けた切欠部４を利用して、釘打ち等を行なうことなく差棟材Ａの固定を行ってもよく、また、差棟材Ａの棟側後端部に設けた固定片５を通して釘等の固着具６を本体瓦１に打入して、固着具６により差棟材Ａを固定してもよい。
【００５２】
また、隅棟頂部を挟んで両側に配置される本体瓦１の対向する側端部の上面には、その端縁に沿って軒棟方向の全長に防水部材７が取り付けてある。防水部材７としては、例えば発泡ゴムなどの弾性材を長尺テープ状に形成したものを用いることができるものであり、粘着剤などで貼り付けることによって、施工現場において防水部材７を本体瓦１に取り付けるようにしてある。そしてこのように本体瓦１の側端部の上面に防水部材７を取り付けておくことによって、上記のように本体瓦１の対向する側端部の上面間に跨って差棟材Ａを配置すると、本体瓦１の上面と差棟材Ａの下面の間に防水部材７が圧縮された状態で挟まれ、防水部材７を介して本体瓦１に差棟材Ａを密着させることができるものであり、より防水性の高い隅棟部の施工を行なうことができるものである。このとき、上段側に位置する差棟材Ａの軒側先端部の引掛け片１０の下面と、下段側に位置する差棟材Ａの上面の間に、同様に防水部材７を設けることによって、差棟材Ａ間の防水性も高めることができるものである。
【００５３】
また、図７中の符号２９は本体瓦１の切断面の凹凸の隙間をふさぐためのシーリングを示すものであるが、このように本体瓦１の切断面の隙間をシーリング２９等でふさぐことが好ましい。
【００５４】
尚、図の実施の形態では、上下複数の各段に本体瓦１を葺く施工を終えた後に、下の段から順に差棟材Ａの取り付けを行なうようにしたが、１段目の本体瓦１を葺いた後に、この１段目において隅棟を挟んだ本体瓦１間に差棟材Ａを取り付け、次に１段目の上に２段目の本体瓦１を葺いた後に、この２段目において隅棟を挟んだ本体瓦１間に差棟材Ａを取り付けるというように、各段で本体瓦１を葺く施工を行なう毎に、差棟材Ａを取り付けるようにしてもよい。
【符号の説明】
【００５５】
１  本体瓦
２  本体部
３  立上り部
４  切欠部
５  固定片
６  固着具
７  防水部材
２５  係止片
Ａ  差棟材
【図１】
2011032854.tif 000003
【図２】
2011032854.tif 000004
【図３】
2011032854.tif 000005
【図４】
2011032854.tif 000006
【図５】
2011032854.tif 000007
【図６】
2011032854.tif 000008
【図７】
2011032854.tif 000009
【図８】
2011032854.tif 000010
【図９】
2011032854.tif 000011